(57)【特許請求の範囲】
【請求項１】
光染毛剤を塗布した毛髪に、光を照射して染毛を行う光染毛装置であって、
使用者の頭部を差し入れる開口部と内壁面を備えるフードと、
前記フードを中空に保持する支持部と、
前記フードの前記内壁面に備えられた発光部材と、
前記発光部材の光の強度を調整する第１の調光器と、前記発光部材の照射角度又は照射範囲を調節する第２の調光器と、を備え、
前記フードの前記内壁面には、フード内に挿入された使用者の頭部の毛髪に向けて、前記発光部材からの光を反射する複数の光反射材が、使用者の頭部に向くようにそれぞれ異なる角度で配置されていることを特徴とする光染毛装置。
【請求項２】
前記支持部が、床面に載置される基台と、前記基台に立設された支柱を有することを特徴とする請求項１に記載の光染毛装置。
【請求項３】
前記フードは、略多角錐台形、略円錐台又は略半球形であり、内壁面全体に発光部材が等間隔に配置されていることを特徴とする請求項１又は２に記載の光染毛装置。
【請求項４】
前記フードの開口部の床面に対する角度を調節する角度調節機構を備えることを特徴とする請求項１〜３のいずれか１項に記載の光染毛装置。
【請求項５】
前記支持部の高さを調節する高さ調節機構を備えることを特徴とする請求項１〜４のいずれか１項に記載の光染毛装置。
【発明の詳細な説明】
【技術分野】
【０００１】
本発明の実施形態は、光を利用した染毛に用いられる光染毛装置に関する。
【背景技術】
【０００２】
従来から、毛髪を染める方法として、光を用いて染毛する光染毛の技術が開発されている。この光染毛の技術は、光によって反応して発色する特定の物質（例えば銀塩）を含む光染毛剤を毛髪に塗布し、毛髪に日光や蛍光灯の光を当てることにより、発色させ、染毛するものである（特許文献１参照）。この光染毛技術は、染毛剤を毛髪に塗布してから時間を置いたり、洗い流したりする手間がないため、家庭において手軽に使用し、簡易に染毛することが出来る。
【０００３】
しかしながら、日光や蛍光灯の光を浴びる場合、光の強さやどの方向から光が照射するかなどを、光染毛しようとする者がコントロールすることは困難であり、光の照射状態が安定しない。
【０００４】
そこで、日光や蛍光灯等の照明の状態にかかわらず、光染毛が可能な光染毛装置を提供する技術として、発光機構を有するブラシ状の光染毛装置が提案されている（特許文献２参照）。
【先行技術文献】
【特許文献】
【０００５】
【特許文献１】特開２００８−６９１３１号公報
【特許文献２】特開２０１２−５５３７０号公報
【発明の概要】
【発明が解決しようとする課題】
【０００６】
上記特許文献２記載の装置は、ブラシをあてた箇所の染毛が完了するまで、使用者がブラシを固定したまま保持し続けなければならない。使用者は手がふさがった状態で染毛作業を長時間行うこととなるため、却って使用者にかかる負担が大きくなり、光染毛の本来の手軽さが損なわれる。
【０００７】
本発明は、以上のような問題を解決するために提案されたものであり、その目的は、使用者への負担が少ない光染毛装置を提供することにある。
【課題を解決するための手段】
【０００８】
本発明の光染毛装置は、光染毛剤を塗布した毛髪に、光を照射して染毛を行う光染毛装置であって、使用者の頭部を差し入れる開口部と内壁面を備えるフードと、前記フードを中空に保持する支持部と、前記フードの内壁面に備えられた発光部材と、前記発光部材の光の強度を調整する第１の調光器と、前記発光部材の照射角度又は照射範囲を調節する第２の調光器と、を備え、前記フードの前記内壁面には、フード内に挿入された使用者の頭部の毛髪に向けて、前記発光部材からの光を反射する複数の光反射材が、使用者の頭部に向くようにそれぞれ異なる角度で配置されている。
【０００９】
支持部は、床面に載置される基台と、基台に立設された支柱を有するものでも良い。
【００１０】
フードは、略多角錐台形、略円錐台又は略半球形であり、内壁面全体に発光部材が等間隔に配置されても良い。
【００１１】
フードの内壁面に、発光部材の光を拡散させる光拡散反射材が等間隔に配置されても良い。
【００１２】
光拡散反射材をフードの開口部周辺に備え、発光部材をフードの頂部周辺に備えても良い。
【００１３】
フードの開口部の床面に対する角度を調節する角度調節機構を備えても良い。
【００１４】
支持部の高さを調節する高さ調節機構を備えても良い。
【発明の効果】
【００１６】
光染毛装置は中空に保持されているため、照射中に使用者が保持する必要がない。これにより、使用者は、特段の操作をせずに光染毛装置を用いることが出来る。したがって、光染毛装置の使用にあたって使用者にかかる負担が少なく、手軽に光染毛を行うことが出来る。
【図面の簡単な説明】
【００１７】
【図１】第１の実施形態の光染毛装置を表す斜視図である。
【図２】第１の実施形態のフードの斜視図である。
【図３】第２の実施形態におけるフードの内側を下方から見た図である。
【発明を実施するための形態】
【００１８】
以下、光染毛装置の複数の実施の形態について、図１乃至３を参照して具体的に説明する。
【００１９】
(第１の実施形態)
（構成）
本実施例の光染毛装置は、図１に示すように、支持部２と、支持部２によって中空に保持されているフード１から構成されている。
【００２０】
支持部２は、フード１を中空に保持する部材である。本実施形態では、支持部２は、支柱２１及び支柱２１を支持する基台２２からなり、支柱２１の上部にフード１を保持する。
【００２１】
基台２２は、床面に載置され、支柱２１を支持する部材である。床面に載置可能な円柱形状や直方体形状等の任意の形状を有し、上面には、支柱２１を起立状態に保持する。
【００２２】
支柱２１は、上部にフード１を保持する部材であり、基台２２から、上方に起立状態で立設される。支柱２１は、例えば下部パイプ２１ａおよび上部パイプ２１ｂの２本のパイプによって構成される。下部パイプ２１ａは、長手方向が上下方向となるように基台２２の上面に載せ置かれた状態で、溶接等により基台２２に連結されている。そして、下部パイプ２１ａの上端開口部には上部パイプ２１ｂの下端部が挿入されて、下部パイプ２１ａの上端部に固定された締付ナット３により上部パイプ２１ｂは下部パイプ２１ａに対して固定される。支柱２１は、図１に示すように、上部パイプ２１ｂが途中で一度屈折している。
【００２３】
締付ナット３は、上部パイプ２１ｂと下部パイプ２１ａの固定具であると同時に、高さ調節機構でもある。高さ調節機構は、高さ方向、すなわち上下方向に支持部２を伸縮可能とする機構である。
【００２４】
フード１は、内壁の内側に使用者が頭部を差し入れる空間を有し、図２に示すように、内壁面に発光部材５を備える。フード１は、使用者が頭部を差し入れる開口部と、内壁面を有する。開口部は、成人が余裕をもって頭部を差し入れることが出来る大きさである。つまり、平均的な成人の頭部の周径よりも、開口部の周径が約１０〜３０センチ程度長い。また、フード１の内壁面に囲まれる空間部分は、開口部から使用者が頭部を差し入れた際に、成人の頭部全体を覆うことが出来る大きさである。フード１は、略円錐台の、使用者の頭部に似た形状である。ここで略円錐台とは、円錐台形に近い形を意味する。
【００２５】
フード１は、開口部が床面と向かい合うように支持部２に保持されている。そして、フード１の周縁部の一点又は頂部が、支柱２１の上部に角度調節機構４を介して取り付けられている。
【００２６】
角度調節機構４は、フード１の角度を任意の角度に変更可能とする関節部材である。フード１の角度とは、フード１の開口部を面として捉えた場合に、当該開口部面と床面の成す角度である。角度調節機構４は、公知の角度調整金具等が採用できる。
【００２７】
発光部材５は、フード１の内壁面に備えられ、毛髪に光を照射する部材である。発光部材５は、光染毛を行うことが出来る波長の光を発光する部材からなる。例えば、蛍光灯やLED等を採用できる。
【００２８】
発光部材５は、フード１の内壁に等間隔で配されている。フード１の開口部縁に対して平行に横縞模様であり、つまり、フード１の頂部を中心とする同心円状に配置されている。
【００２９】
図示しないが、光染毛装置の本体には、光染毛装置のオンオフを行うスイッチを備える。スイッチをオンにすることで電源が入り、発光部材５から光が照射される。スイッチをオフにすることで、電源が切れ、発光部材５は光の照射を停止する。
【００３０】
光染毛装置の本体は、発光部材５の光の強度、照射範囲及び照射角度を調節可能な調光器７を備える。調光器７は、光強度を調節する第一のダイヤル７ａと、髪の長さに応じて光の照射範囲及び照射角度を調節する第二のダイヤル７ｂを有する。
【００３１】
第一のダイヤル７ａは、光の強度を調節する。調光器７の第一のダイヤル７ａの数字を上げることで、発光部材５から照射される光の強度が増し、照射される光量が増加する。調光器７の第一のダイヤル７ａの数字を下げることで、発光部材５から照射される光の強度が弱くなり、照射される光量が減少する。
【００３２】
第二のダイヤル７ｂは、髪の長さに応じて、照射角度又は照射範囲を調節する。ここでは、ショートとロングの二種類の設定を有する。第二のダイヤル７ｂをロングに設定した場合、全ての発光部材５が光を照射する。また、開口部周辺の発光部材５は、照射角度が床面を向く。第二のダイヤル７ｂをショートに設定した場合、開口部周辺の発光部材５は光を照射しない。
【００３３】
図示しないが、フード１には熱排出口を備える。熱排出口は、フード１の任意の位置に、孔を設けることで備える。孔の数及び大きさは任意である。熱排出口を設けることで、発光部材５の発熱を外に逃がすことが出来る。
【００３４】
（作用）
以下、本実施形態の光染毛装置の作用を、使用者の動作と共に説明する。
【００３５】
使用者は、予め、光染毛を行うことの出来る公知の光染毛剤を毛髪に塗布する。染毛を行いたい箇所の毛髪に塗布すればよく、毛髪全体でも、根元のみの一部分でもよい。
【００３６】
使用者は、自らの頭部が、フード１の内壁面に囲まれた空間の中央に位置するように、フード１の高さ及び角度を調節する。例えば、使用者が椅子に座った状態で光染毛装置を使用する場合、まず、椅子に座った状態での自らの頭部の高さ位置を確認する。そして、確認した高さ位置に、フード１の高さが合うように、高さ調節機構によって支持部２の高さを調節する。締付ナット３を緩めた際には、上部パイプ２１ｂを上下方向へ移動させることができ、支持部２の高さが調節できる。また、締付ナット３を締めると上部パイプ２１ｂが固定され、支持部２の高さが固定される。これにより、支持部２の上部に保持されているフード１の高さを調整し、固定することが出来る。さらに、使用者は椅子に座った状態で、フード１の開口部縁に頭部がぶつからないよう、フード１の角度を動かして調節する。
【００３７】
使用者は光染毛装置のスイッチをオンにする。それにより、光染毛装置の電源が入り、発光部材５から光が照射される。そして、毛髪が照射された光を浴びることで、光染毛が促進される。その結果、時間がたつにつれて徐々に髪の色が変化して染毛される。
【００３８】
使用者は、光染毛装置のスイッチをオンにした後、調光器７の第一のダイヤル７ａによって、光量を調整する。光染毛は、光の照射量に応じて染毛の速度が異なる。したがって、使用者は、所望の染め上がりの色又はタイミングに応じて光量を調整する。例えば、白髪を緩やかに染毛したい場合は、光量を少なくして照射を行う。一気に染毛したい場合は、光量を多くして照射を行う。
【００３９】
光染毛装置の使用中、なかなか染毛が進まない場合や逆に染毛の進みが速すぎる場合は、使用者は照射の途中で、第一のダイヤル７ａにより発光部材５の光量を増減させる制御を行うこともできる。
【００４０】
使用者は、調光器７の第二のダイヤル７ｂによって、自らの髪の長さを設定する。長髪の場合は、ロングに設定し、短髪の場合はショートに設定する。これにより、設定した髪の長さに応じて、発光部材５が照射する照射範囲及び照射角度が決定される。
【００４１】
（効果）
（１）本実施形態の光染毛装置は、光染毛剤を塗布した毛髪に、光を照射して染毛を行う光染毛装置であって、使用者の頭部を差し入れる開口部と内壁面を備えるフード１と、フード１を中空に保持する支持部２と、フード１の内壁面に備えられた発光部材５と、を有する。
【００４２】
本実施形態の光染毛装置は、フード１が中空に保持されていることにより、照射中に使用者が保持する必要がない。したがって、光染毛装置の使用にあたって使用者は光染毛装置に手をとられることがないため、使用者にかかる負担が少ない。よって、使用者は、負担なく手軽に光染毛を行うことが出来る。
【００４３】
（２）支持部２が、床面に載置される基台２２と、基台２２に立設された支柱２１を有する。これにより、光染毛装置はスタンド型であり、床面から自立している。したがって、使用者は、光染毛装置を、任意の位置に移動させることが出来る。よって、使用者は、室内において所望の箇所で、光染毛装置を用いることが出来る。
【００４４】
（３）フード１は、略多角錐台形、略円錐台又は略半球形であり、内壁面全体に発光部材５が等間隔に配置されている。
【００４５】
フード１が、略多角錐台形、略円錐台又は略半球形の使用者の頭形状に近い形状を有することにより、フード１に覆われた頭部の全周はフード１の内壁面からほぼ均等な距離を有する。そして、各発光部材５が内壁面全体に等間隔に配置されていることにより、頭部は各発光部材５からほぼ均等な距離を有する。そのため、本実施形態では頭部全体に対して同時に、均一な光を照射することができる。
【００４６】
したがって、本実施形態によれば一度に広範な範囲を照射することが可能である。例えばブラシ形の光染毛装置の場合、ブラシの面積には限りがあるため、毛髪全体を染毛するには、ブラシの面積に応じて多数回ブラシの位置を変更して光を照射する必要がある。そのため、頭髪全体を染毛するには相当な長時間を要する。さらに、各部分での光の照射時間にばらつきが生じやすく、ムラ染めの原因ともなりうる。しかしながら、本実施形態では、ブラシ型のように各部に順に照射を行う必要がないため、毛髪全体の染毛にかかる時間を著しく短縮できる。
【００４７】
また、一度に広範な範囲を照射することで、部分ごとの照射時間のばらつきが抑えられるため、ムラになりづらい。さらに、各部に均一な光が照射されることからも、ムラ染めを防ぐ効果を得ることが出来る。特に、男性など使用者が短髪である場合は、毛髪全体がフード１に覆われる。したがって、毛髪全体に対して一度に、均一な光を照射することができる。これにより、一層ムラのない光染毛を行うことが可能である。
【００４８】
（４）フード１の開口部の床面に対する角度を調節する角度調節機構４を備える。これにより、使用者は、角度の調節によって、光染毛装置のフード１を所望の角度位置に合わせることが出来る。例えば、フード１の角度を、開口部面が床面と平行となる角度にした場合、使用者が上半身をほぼ直立させた状態でフード１に頭部を差し入れ、光染毛装置を使用することが出来る。また、開口部面を床面に対して傾けることで、使用者は椅子の背もたれなどにもたれてリクライニングした状態で、フード１に頭部を差し入れ、光染毛装置を用いることが出来る。したがって、使用者は、室内において自由な体勢で、特段の操作をせずに光染毛装置を用いることが可能である。
【００４９】
さらに、使用者の頭部は、フード１の内壁面に囲まれた空間の略中央に位置するように調節することが出来る。そのため、フード１の内壁面に備えられた発光部材５は、いずれも使用者の毛髪に対して一定の距離を有し、毛髪に直接接触しない。例えば、光染毛装置がブラシ状や櫛状の場合は、乾いていない状態の光染毛剤がピンに直接接触すると、毛髪に塗布した光染毛剤がとれてしまい、ムラ染めの原因となりうる。また、光染毛装置に光染毛剤がつくことによって、光染毛装置自体の故障の原因ともなりうる。そのため、これらの問題を避けるために、光染毛剤が乾燥するまで待たなければならず、余計な待ち時間が生じて光染毛剤の手軽さを損なうという問題が生じる。しかしながら、本実施形態では、使用者は光染毛剤の塗布直後から照射が可能であり、光染毛剤が乾くまで待つ必要がないため、余計な待ち時間が発生しない。
【００５０】
（５）支持部２の高さを調節する高さ調節機構である締付ナット３を備える。これにより、使用者は、支持部２の高さを調節することで、光染毛装置のフード１を所望の高さ位置に合わせることが出来る。これにより、使用者は、椅子の高さや使用者の身長にかかわらず、室内において自由な体勢で、特段の操作をせずに光染毛装置を用いることが出来る。
【００５１】
（６）発光部材５の光の強度、照射角度又は照射範囲を調節する調光器７を備える。使用者は照射する光の強度を調節することで、染毛の進行スピードをコントロールすることが出来る。したがって、染め上がりの色及びタイミングを、使用者自らで調整出来る。また、光の照射角度又は照射範囲を調節することで、使用者は、光が照射される箇所を自らコントロールできる。したがって、染毛を行う箇所を使用者自らで調整できる。
【００５２】
（７）支柱２１は、上部パイプ２１ｂが途中で一度屈折している。これによって、フード１の開口部の床面に対する可動角度範囲が広くなる。例えば、屈折させることにより、開口部を床面と水平にした場合も支持部２がフード１に衝突しない。
【００５３】
（８）発光部材５をLEDとすることで、発光部材５がコンパクトになるため、光染毛装置全体をコンパクト化できる。
【００５４】
（９）第二のダイヤル７ｂをロングに設定した場合、全ての発光部材５が光を照射することにより頭部全体に光が照射される。そして、開口部周辺の発光部材５は、照射角度が床面を向くことにより、光が下方まで届く。これにより、髪が長い女性などが使用する場合に、フード１内の空間に収まらない髪の先端部分にも光を照射することが可能となる。第二のダイヤル７ｂをショートに設定した場合、開口部周辺の発光部材５は光を照射しないため、頭頂部周辺に重点的に光が照射される。これにより、毛髪がなく光を照射する必要がない使用者の首などに光が照射されることを防ぎ、光の照射による熱などの使用者の不快感を軽減することが出来る。
【００５５】
（１０）熱排出口を設けることで、発光部材５の発熱を外に逃がすことが出来る。これにより、発光部材５の発熱によりフード１の温度が過度に上昇し、フード１に接触した使用者が火傷を負う等の事故等を防止できる。
【００５６】
（１１）以上の構成により、本実施形態の光染毛装置は、雨や曇りなどの悪天候にかかわらず、使用者が思い立った際に、短時間で手軽に光染毛を行うことが可能である。光染毛は、晴れている日は、太陽光により早く染毛が進むが、雨や曇りなどの悪天候の日は、染毛に数日かかる欠点がある。しかしながら、本実施形態の光染毛装置は、雨や曇りなどの悪天候であっても、使用者が外出前等に短時間使用して染毛を進め、あとは自然光で徐々に染毛していくことが出来る。
【００５７】
(第２の実施形態)
（構成）
第２の実施形態は、第１の実施形態と基本構成は同じである。図３に示すように、第２の実施形態に係る光染毛装置は、フード１の内壁面に発光部材５及び光拡散反射材６を備える。
【００５８】
光拡散反射材６は、光を拡散反射させるシートであって、例えば、光透過性基材表面に微細な凹凸を施した目隠しシートが採用できる。その他、公知の光拡散シートも採用できる。
【００５９】
発光部材５は、フード１の内壁に均等な間隔で配され、光拡散反射材６もフード１の内壁のうち発光部材５が配されていない残部に均等な間隔で配される。図３のように、発光部材５がフード１の頂部周辺に、フード１の頂部を中心とする同心円状に配され、光反射材７が開口部周辺に、フード１の頂部を中心とする同心円状に配される。
【００６０】
（効果）
（１）フード１の内壁面に、発光部材５の光を拡散させる光拡散反射材６が等間隔に配置されている。これにより、発光部材５の照射する光が拡散反射されるので、発光部材５の数を減らしながらも、頭髪全体に均一な光を照射することができる。したがって、ＬＥＤ照明の数を減らすことで、光染毛装置作製時のコストを削減出来る。また、使用電力量が削減でき、光染毛装置の使用にあたってのコストも削減出来る。
【００６１】
また、LEDや蛍光灯の直線的な光を拡散反射させることで、自然光に近い光となる。そのため、使用者のまぶしさを軽減し、使用時の快適さを向上させる。
【００６２】
（２）光拡散反射材６をフード１の開口部周辺に備え、発光部材５をフード１の頂部周辺に備えている。フード１の頂部周辺に発光部材５を設けることで、光反射材は照射された光を効率的に反射、拡散する。
【００６３】
（他の実施形態）
以上のように本発明の実施形態を説明したが、発明の要旨を逸脱しない範囲で、種々の省略、置き換え、変更を行うことができる。そして、この実施形態やその変形は、発明の範囲や要旨に含まれるとともに、特許請求の範囲に記載された発明とその均等の範囲に含まれる。
【００６４】
上述の実施形態に加え、基台２２の底部には、キャスターを備えることとしても良い。キャスターを備えることで、光染毛装置の移動が容易となる。
【００６５】
上述の実施形態では、上部パイプ２１ｂが途中で一度屈折している構成としたが、これに限られない。例えば、支柱２１は、基台２２から一直線に直立するものでもよく、下部パイプ２１ａが途中で一度屈折していてもよい。
【００６６】
上述の実施形態では、高さ調節機構と固定具を同じ締付ナット３で構成したが、これに限られない。例えば、高さ調節機構と固定具が別々の部材であっても良い。
【００６７】
上述の実施形態では、フード１は略円錐台としたが、これに限られない。例えば、略多角錐台形又は略半球形の、使用者の頭部に似た形状でも良い。
【００６８】
上述の実施形態では、発光部材５は、内壁全面にフード１の頂部を中心とする同心円状に配置されている構成としたが、これに限られない。例えば、内壁全面を覆う態様、市松模様とする態様、フード１の頂部を中心とするらせん状となる態様、開口部縁に対して平行な横縞模様となる態様、開口部縁に対して垂直に縦縞模様となる態様などでも良い。これらの態様で配置した場合、発光部材５の数を減らしながら、全体に均等に配置することが出来る。
【００６９】
上述の実施形態では、支持部２は、支柱２１及び支柱２１を支持する基台２２からなり、支柱２１の上部にフード１を保持する構成を説明したが、これに限られない。例えば、支持部２は、天井に取り付けられ、天井から床面に向かって伸びる支柱又はケーブルであり、中空にフード１を吊り下げて保持する構成でも良い。
【００７０】
上述の実施形態では、調光器７は、光強度を調節する第一のダイヤル７ａと、髪の長さに応じて光の照射範囲及び照射角度を調節する第二のダイヤル７ｂを有する構成を説明したが、どちらか一方のダイヤルのみを備える構成でも良い。
【００７１】
上述の実施形態では、第二のダイヤル７ｂは、ショートとロングの２種類の髪の長さに応じて照射範囲及び照射角度を調整する構成を説明したが、これに限られない。例えば、髪の長さを５段階程度に細かく分類して、調節可能としても良い。また、照射範囲及び照射角度をそれぞれ使用者が別々に設定可能な構成としても良い。照射範囲を調整可能とする場合、使用者は頭頂部の毛髪のみを染毛したければ、調光器７によって、頭頂部を照射するフード１の頂部位置に存する発光部材５のみが発光するように調整を行う。
【００７２】
上述の第２の実施形態では、発光部材５がフード１の頂部周辺に、フード１の頂部を中心とする同心円状に配され、光拡散反射材６が開口部周辺に、フード１の頂部を中心とする同心円状に配される形態としたが、これに限られない。例えば、発光部材５と光拡散反射材６が市松模様となる態様、発光部材５と光反射材が開口部縁と平行に交互に横縞模様となる態様、発光部材５と光拡散反射材６が開口部縁に垂直に交互に縦縞模様となる態様などでも良い。
【符号の説明】
【００７３】
１  フード
２  支持部
２１  支柱
２１ａ  下部パイプ
２１ｂ  上部パイプ
２２  基台
３  高さ調節機構
４  角度調節機構
５  発光部材
６  光拡散反射材
７  調光器
７ａ  第一のダイヤル
７ｂ  第二のダイヤル
【図１】
0006650692.tif 000002
【図２】
0006650692.tif 000003
【図３】
0006650692.tif 000004